(57)【要約】【課題】ブレーキ操作に応じた液圧を出力する液圧発生手段および車輪ブレーキ間に介設される入口側電磁弁、ならびに車輪ブレーキおよびリザーバ間に介設される出口側電磁弁の作動が、アンチロックブレーキ制御時にブレーキ液圧の減圧、保持および増圧モードをこの順番で繰り返すようにして制御ユニットで制御される車両のアンチロックブレーキ制御装置において、保持モードから増圧モードへの移行時の応答性を高める。【解決手段】少なくとも入口側電磁弁が、半開状態でのデューティ制御を可能として構成され、制御ユニットは、電磁出口弁を閉弁した状態での保持モードで、電磁入口弁のデューテイを全閉状態に応じたデューティから半開状態の所定のデューテイまで時間経過に応じて段階的に変化させてブレーキ液圧を時間経過に応じて緩やかに増大するように制御する。【選択図】        図６
2006103350.tif 000002
【特許請求の範囲】
【請求項１】
ブレーキ操作部材（Ｐ）の操作に応じた液圧を出力する液圧発生手段（Ｍ）および車輪ブレーキ（ＢＡ，ＢＢ，ＢＣ，ＢＤ）間に介設される電磁入口弁（５Ａ，５Ｂ，５Ｃ，５Ｄ）と、車輪ブレーキ（ＢＡ，ＢＢ，ＢＣ，ＢＤ）およびリザーバ（８Ａ，８Ｂ）間に介設される電磁出口弁（６Ａ，６Ｂ，６Ｃ，６Ｄ）と、アンチロックブレーキ制御時に前記車輪ブレーキ（ＢＡ，ＢＢ，ＢＣ，ＢＤ）に作用するブレーキ液圧の減圧、保持および増圧モードをこの順番で繰り返すようにして前記電磁入口弁（５Ａ〜５Ｄ）および前記電磁出口弁（６Ａ〜６Ｄ）の作動を制御する制御ユニット（Ｃ）とを備える車両のアンチロックブレーキ制御装置において、少なくとも前記電磁入口弁（５Ａ〜５Ｄ）が、その全開および全閉間の半開状態でのデューティ制御を可能として構成され、前記制御ユニット（Ｃ）は、前記電磁出口弁（６Ａ〜６Ｄ）を閉弁した状態での前記保持モードで、前記電磁入口弁（５Ａ〜５Ｄ）のデューテイを全閉状態に応じたデューティから半開状態の所定のデューテイまで時間経過に応じて段階的に変化させて車輪ブレーキ（ＢＡ〜ＢＤ）のブレーキ液圧を時間経過に応じて緩やかに増大するように制御することを特徴とする車両のアンチロックブレーキ制御装置。
【発明の詳細な説明】
【技術分野】
【０００１】
本発明は、ブレーキ操作部材の操作に応じた液圧を出力する液圧発生手段および車輪ブレーキ間に介設される電磁入口弁と、車輪ブレーキおよびリザーバ間に介設される電磁出口弁と、アンチロックブレーキ制御時に前記車輪ブレーキに作用するブレーキ液圧の減圧、保持および増圧モードをこの順番で繰り返すようにして前記電磁入口弁および前記電磁出口弁の作動を制御する制御ユニットとを備える車両のアンチロックブレーキ制御装置に関する。
【背景技術】
【０００２】
このようなアンチロックブレーキ制御装置は、たとえば特許文献１等で既に知られている。
【特許文献１】特開平８−２５８６９０号公報
【発明の開示】
【発明が解決しようとする課題】
【０００３】
ところが、上記従来のものでは、電磁入口弁および電磁出口弁が全開および全閉のいずれかの状態となるように構成されており、アンチロックブレーキ制御時の保持モードでは、入口側および電磁出口弁がともに閉弁状態にあり、保持モードから増圧モードに移行したときに、必要な液圧に達するまでの時間が長くなる可能性があり、応答性に優れているとは言い難い。
【０００４】
本発明は、かかる事情に鑑みてなされたものであり、保持モードから増圧モードへの移行時の応答性を高めた車両のアンチロックブレーキ制御装置を提供することを目的とする。
【課題を解決するための手段】
【０００５】
上記目的を達成するために、本発明は、ブレーキ操作部材の操作に応じた液圧を出力する液圧発生手段および車輪ブレーキ間に介設される電磁入口弁と、車輪ブレーキおよびリザーバ間に介設される電磁出口弁と、アンチロックブレーキ制御時に前記車輪ブレーキのブレーキ液圧の減圧、保持および増圧モードをこの順番で繰り返すようにして前記電磁入口弁および前記電磁出口弁の作動を制御する制御ユニットとを備える車両のアンチロックブレーキ制御装置において、少なくとも前記電磁入口弁が、その全開および全閉間の半開状態でのデューティ制御を可能として構成され、前記制御ユニットは、前記電磁出口弁を閉弁した状態での前記保持モードで、前記電磁入口弁のデューテイを全閉状態に応じたデューティから半開状態の所定のデューテイまで時間経過に応じて段階的に変化させて車輪ブレーキのブレーキ液圧を時間経過に応じて緩やかに増大するように制御することを特徴とする。
【発明の効果】
【０００６】
このような発明の構成によれば、アンチロックブレーキ制御時の保持モードでは、車輪ブレーキのブレーキ液圧が時間経過に応じて緩やかに増圧されることになり、保持モードから増圧モードに切り換わったときに車輪ブレーキのブレーキ液圧は保持モード開始時よりも高くなっており、したがって増圧モードで必要な液圧に達するまでの時間を短くすることができ、応答性を高めることができる。
【発明を実施するための最良の形態】
【０００７】
以下、本発明の実施の形態を、添付の図面に示した本発明の一実施例に基づいて説明する。
【０００８】
図１〜図７は本発明の一実施例を示すものであり、図１は乗用車両のブレーキ装置のブレーキ液圧回路図、図２は電磁入口弁の縦断面図、図３は弁軸のストローク変化に対する吸引力変化を示す図、図４は電磁入口弁の駆動装置の構成を示す図、図５はアンチロックブレーキ制御時の制御モードに対応した車輪速度およびブレーキ液圧の変化を示す図、図６は減圧、保持および増圧の各制御モードでの電磁入口弁のデューティの変化を示す図、図７は保持モードでのデューティの設定マップを示す図である。
【０００９】
先ず図１において、液圧発生手段であるタンデム型のマスタシリンダＭは、車両運転者がブレーキ操作部材であるブレーキペダルＰに加える踏力に応じたブレーキ液圧を発生する第１および第２出力ポート１，２を備えており、第１出力ポート１に接続された第１出力液圧路３と、左前輪用車輪ブレーキＢＡおよび右後輪用車輪ブレーキＢＢとの間に液圧制御弁手段ＶＡ，ＶＢがそれぞれ介設され、第２出力ポート２に接続された第２出力液圧路４と、右前輪用車輪ブレーキＢＣおよび左後輪用車輪ブレーキＢＤとの間に液圧制御弁手段ＶＣ，ＶＤがそれぞれ介設される。
【００１０】
各液圧制御弁手段ＶＡ〜ＶＤは、左前輪用車輪ブレーキＢＡ、右後輪用車輪ブレーキＢＢ、右前輪用車輪ブレーキＢＣおよび左後輪用車輪ブレーキＢＤに個別に対応した電磁入口弁５Ａ〜５Ｄと、各電磁入口弁５Ａ〜５Ｄにそれぞれ並列に接続されるチェック弁７Ａ〜７Ｄと、前記各車輪ブレーキＢＡ〜ＢＤに個別に対応した電磁出口弁６Ａ〜６Ｄとを備え、電磁入口弁５Ａ〜５Ｄは常開型のリニアソレノイド弁であり、電磁出口弁６Ａ〜６Ｄは常閉型電磁弁である。
【００１１】
第１出力液圧路３に対応した電磁入口弁５Ａ，５Ｂは、第１出力液圧路３と、左前輪用車輪ブレーキＢＡおよび右後輪用車輪ブレーキＢＢとの間に介設される。また第１出力液圧路３に対応した電磁出口弁６Ａ，６Ｂは、第１出力液圧路３に対応した単一の第１リザーバ８Ａと、左前輪用車輪ブレーキＢＡおよび右後輪用車輪ブレーキＢＢとの間に介設される。第１リザーバ８Ａには、第１リザーバ８Ａからブレーキ液を汲上げ得る第１ポンプ１０Ａの吸入側が第１吸入弁９Ａを介して接続され、第１ポンプ１０Ａの吐出側が第１吐出弁１１Ａおよび第１ダンパ１２Ａを介して第１出力液圧路３に接続される。
【００１２】
また第２出力液圧路４に対応した電磁入口弁５Ｃ，５Ｄは、第２出力液圧路４と、右前輪用車輪ブレーキＢＣおよび左後輪用車輪ブレーキＢＤとの間に介設される。また第２出力液圧路４に対応した電磁出口弁６Ｃ，６Ｄは、第２出力液圧路４に対応した単一の第２リザーバ８Ｂと、右前輪用車輪ブレーキＢＣおよび左後輪用車輪ブレーキＢＤとの間に介設される。第２リザーバ８Ｂには、第２リザーバ８Ｂからブレーキ液を汲上げ得る第２ポンプ１０Ｂの吸入側が第２吸入弁９Ｂを介して接続され、第２ポンプ１０Ｂの吐出側が第２吐出弁１１Ｂおよび第２ダンパ１２Ｂを介して第２出力液圧路４に接続される。
【００１３】
また各チェック弁７Ａ〜７Ｄは、対応する車輪ブレーキＢＡ〜ＢＤからマスタシリンダＭへのブレーキ液の流れを許容するようにして、各電磁入口弁５Ａ〜５Ｄに並列に接続される。
【００１４】
前記各液圧制御弁手段ＶＡ〜ＶＤの作動すなわち各電磁入口弁５Ａ〜５Ｄおよび各電磁出口弁６Ａ〜６Ｄの作動と、第１および第２ポンプ１０Ａ，１０Ｂの作動とは、制御ユニットＣで制御される。
【００１５】
上記各液圧制御弁手段ＶＡ〜ＶＤは、各車輪がロックを生じる可能性のない通常ブレーキ時には、制御ユニットＣにより、マスタシリンダＭおよび車輪ブレーキＢＡ〜ＢＤ間を連通するとともに車輪ブレーキＢＡ〜ＢＤおよびリザーバ８Ａ，８Ｂ間を遮断する状態に制御される。すなわち各電磁出口弁６Ａ〜６Ａが非通電による閉弁状態とされるとともに、各電磁入口弁５Ａ〜５Ａが非通電による開弁状態とされ、マスタシリンダＭの第１出力ポート１から出力されるブレーキ液圧は、電磁入口弁５Ａを介して左前輪用車輪ブレーキＢＡに作用するとともに、電磁入口弁５Ｂを介して右後輪用車輪ブレーキＢＢに作用する。またマスタシリンダＭの第２出力ポート２から出力されるブレーキ液圧は、電磁入口弁５Ｃを介して右前輪用車輪ブレーキＢＣに作用するとともに、電磁入口弁５Ｄを介して左後輪用車輪ブレーキＢＤに作用する。
【００１６】
上記ブレーキ中に車輪がロック状態に入りそうになったときに、各液圧制御弁手段ＶＡ〜ＶＤのうちロック状態に入りそうになった車輪に対応する液圧制御弁手段は、制御ユニットＣにより、マスタシリンダＭおよび車輪ブレーキＢＡ〜ＢＤ間を遮断するとともに車輪ブレーキＢＡ〜ＢＤおよびリザーバ８Ａ，８Ｂ間を連通する状態に制御される。すなわち各電磁入口弁５Ａ〜５Ｄのうちロック状態に入りそうになった車輪に対応する常開型電磁弁が通電によって閉弁状態とされるとともに、各電磁出口弁６Ａ〜６Ｄのうち上記車輪に対応する常閉型電磁弁が通電によって開弁される。これにより、ロック状態に入りそうになった車輪のブレーキ液圧の一部が第１リザーバ８Ａまたは第２リザーバ８Ｂに吸収され、ロック状態に入りそうになった車輪のブレーキ液圧が減圧されることになる。
【００１７】
またブレーキ液圧を一定に保持する際には、各液圧制御弁手段ＶＡ〜ＶＤは、制御ユニットＣにより、車輪ブレーキＢＡ〜ＢＤをリザーバ８Ａ，８Ｂから遮断するとともにマスタシリンダＭからの液圧作用を制限する状態に制御される。すなわち電磁出口弁６Ａ〜６Ｄが非通電により閉弁されるとともに、電磁入口弁５Ａ〜５Ｄは、その付与電流の制御により電磁入口弁５Ａ〜５Ｄの下流側の液圧をリニアに変化させるように通電制御されることになる。さらにブレーキ液圧を増圧する際には、電磁出口弁６Ａ〜６Ｄが非通電により閉弁状態とされるとともに、電磁入口弁５Ａ〜５Ｄは、該電磁入口弁５Ａ〜５Ｄへの付与電流の制御によりそれらの電磁入口弁５Ａ〜５Ｄの下流側の液圧を前記付与電流に応じてリニアに制御することになる。
【００１８】
ところで、第１および第２ポンプ１０Ａ，１０Ｂは、上記アンチロックブレーキ制御時に作動するように制御ユニットＣで制御されるものであり、第１および第２リザーバ８Ａ，８Ｂのブレーキ液は第１および第２ポンプ１０Ａ，１０ＢでマスタシリンダＭ側に還流されることになる。このようなブレーキ液の還流によって、第１および第２リザーバ８Ａ，８Ｂへのブレーキ液の吸収によるブレーキペダルＰの踏込み量の増加を防止することができる。しかも第１および第２ポンプ１０Ａ，１０Ｂの吐出圧の脈動は第１および第２ダンパ１２Ａ，１２Ｂで吸収されるので、上記還流によってブレーキペダルＰの操作フィーリングは阻害されることはない。
【００１９】
このようにしてアンチロックブレーキ制御時には、電磁出口弁６Ａ〜６Ｄが制御ユニットＣでオン・オフ制御されて全開・全閉を切換えるものであるのに対し、各電磁入口弁５Ａ〜５Ｄは、全開、全閉および半開状態でのデューテイ制御を可能として、オン・オフ制御されるとともにオン・オフ間の中間値の電流でも制御されるものであり、そのような中間値の付与電流に応じて各車輪ブレーキＢＡ〜ＢＤ側の液圧をリニアに変化させるべく構成される電磁入口弁５Ａ〜５Ｄのうち、電磁入口弁５Ａの構成について図２を参照しながら以下に説明する。
【００２０】
図２において、電磁入口弁５Ａは、電磁力を発揮するソレノイド部１４と、該ソレノイド部１４で駆動される弁部１５とで構成されるものであり、固定の支持ブロック１６の一面１６ａに開口するようにして該支持ブロック１６に設けられる装着孔１７に弁部１５が収容され、ソレノイド部１４は支持ブロック１６の一面１６ａから突出する。
【００２１】
弁部１５は、磁性金属により段付きの円筒状に形成される弁ハウジング１８を備えるものであり、この弁ハウジング１８は、支持ブロック１６の装着孔１７に嵌合される。装着孔１７の開口端寄り内面には弁ハウジング１８に係合して該弁ハウジング１８の装着孔１７からの離脱を阻止する止め輪１９が嵌着される。また弁ハウジング１８の外面の軸方向に間隔をあけた２個所には環状のシール部材２０，２１が装着されており、それらのシール部材２０，２１間で支持ブロック１６および弁ハウジング１８間には環状室２２が形成される。
【００２２】
弁ハウジング１８には円筒状の弁座部材２３が圧入、固着される。また弁ハウジング１８には、非磁性材料製の弁軸２４が摺動可能に嵌合されており、弁軸２４の一端および弁座部材２３間に出力室２５が形成され、出力室２５に臨んで弁座部材２３に形成される弁座２３ａに着座可能な球状の弁体２６が弁軸２４の一端に固着される。しかも弁軸２４の一端および弁座部材２３間には、弁軸２４すなわち弁体２６を弁座部材２３から離反する方向に付勢する戻しばね２７が設けられる。
【００２３】
弁ハウジング１８には、第１出力液圧路３に連なって支持ブロック１６に設けられた液圧路２８と、弁座部材２３との間に介在するようにしてフィルタ２９が装着される。また環状室２２に臨む部分で弁ハウジング１８の外周にはフィルタ３０が装着されており、該フィルタ３０を介して出力室２５を環状室２２に通じさせるための通路３１が弁ハウジング１８に設けられる。前記環状室２２は左前輪用車輪ブレーキＢＡに通じるものであり、支持ブロック１６には環状室２２を左前輪用車輪ブレーキＢＡに通じさせる液圧路３２が設けられる。さらに弁座部材２３およびフィルタ２９間で弁ハウジング１８には、液圧路２８の圧力が環状室２２よりも低下したときに開弁して環状室２２のブレーキ液を液圧路２８側に還流させるチェック弁７Ａが配設される。
【００２４】
ソレノイド部１４は、固定コア３５と、前記弁部１５における弁軸２４の他端に同軸に連接されて固定コア３５に対向するアーマチュア３６と、固定コア３５に対するアーマチュア３６の近接・離反移動を案内するガイド筒３７と、ガイド筒３７を囲繞するボビン３８と、該ボビン３８に巻装されるコイル３９と、コイル３９を囲繞する磁路枠４０と、磁路枠４０およびボビン３８間に介装されるコイル状のばね４１とを備える。
【００２５】
固定コア３５は円筒状に形成されており、前記弁ハウジング１８の一端中央部に同軸にかつ一体に連設される。ガイド筒３７は、非磁性材料たとえばステンレス鋼により一端を半球状の閉塞端とした薄肉の有底円筒状に形成されるものであり、該ガイド筒３７の他端に前記固定コア３５の先端部が嵌合され、たとえば溶接によりガイド筒３７の他端が固定コア３５に固着される。しかも弁ハウジング１８の装着孔１７への装着状態でガイド筒３７は支持ブロック１６の一面１６ａから突出されている。
【００２６】
ボビン３８は、ガイド筒３７を挿通させる中心孔３８ａを有して合成樹脂により形成されるものであり、該ボビン３８にコイル３９が巻装される。
【００２７】
磁路枠４０は、ボビン３８およびコイル３９を囲繞する磁路筒４２を備える。この磁路筒４２の一端には、ガイド筒３７の閉塞端部を中央部から突出させるようにしてボビン３８に当接するリング板状の磁路板４３がかしめ係合される。
【００２８】
一方、磁路筒４２の他端には、固定コア３５の周囲で弁ハウジング１８の一端に当接するリング板状の当接板部４２ａが一体に連設されており、この当接板部４２ａの内周に、固定コア３５の基部が嵌合される。また一端を当接板部４２ａに当接せしめたコイル状のばね４１の他端は、ボビン３８に当接される。
【００２９】
ガイド筒３７内には、固定コア３５に対して近接・離反することが可能なアーマチュア３６が収納されており、固定コア３５を移動自在に貫通する前記弁軸２４の一端がアーマチュア３６に同軸に当接される。ところで、弁軸２４は、戻しばね２７のばね力により弁体２６を弁座部材２３から離反する方向に付勢されており、弁軸２４の他端はアーマチュア３６に常時当接されており、アーマチュア３６の軸方向移動に応じて弁軸２４すなわち弁体２６も軸方向に移動することになる。
【００３０】
すなわちアーマチュア３６に固定コア３５側への磁気吸引力が作用していない状態で、該アーマチュア３６は戻しばね２７のばね力によりガイド筒３７の一端閉塞部で受けられるまで後退した位置に在り、この際、弁体２６は弁座部材２３から離反しており、電磁入口弁５Ａは開弁状態にある。また弁体２６が弁座部材２３に着座するまで固定コア３５側にアーマチュア３６を磁気吸引させると、電磁入口弁５Ａが閉弁状態となる。
【００３１】
ところで、弁軸２４の一端には、出力室２５の液圧により液圧力と、戻しばね２７のばね力との合力が作用するのに対し、弁軸２４の他端には、アーマチュア３６を固定コア３５側に吸引する磁気吸引力が作用するものであり、弁軸２４は、液圧力およびばね力の合力と、磁気吸引力とが均衡するようにストローク作動することになる。そこでコイル３９への通電量をオン・オフ間の中間値となるように制御ユニットＣで制御することにより、アーマチュア３６を固定コア３５側に吸引する磁気吸引力を変化させることができる。
【００３２】
一方、固定コア３５およびアーマチュア３６の対向面３５ａ，３６ａは、出力室２５から離反するにつれて大径となるテーパ面に形成される。
【００３３】
このように固定コア３５およびアーマチュア３６の対向面３５ａ，３６ａがテーパ面に形成されると、アーマチュア３６の軸方向ストローク量に比べて固定コア３５およびアーマチュア３６の対向距離（テーパ面に直角な方向の距離）の変化を小さくすることができ、対向面３５ａ，３６ａ間に発生する吸引力の変化が軸方向ストロークの変化に対して小さくなる。しかも実際に軸方向に作用する吸引力は対向面３５ａ，３６ａ間に発生する吸引力のＳｉｎ成分であり、テーパ面の角度が鋭角になるほど対向面３５ａ，３６ａ間の吸引力の変化に対して軸方向の吸引力の変化が小さくなる。
【００３４】
これにより、図３の実線で示すように、固定コア３５およびアーマチュア３６間の吸引力が、弁部１５における全閉および全開間の実用範囲ではほぼフラットになるようにすることができる。これに対し、固定コア３５およびアーマチュア３６の対向面を軸方向に直角な平坦面としたときには、弁軸２４の軸方向ストロークに応じて固定コア３５およびアーマチュア３６の対向距離が比例的に変化するので、図３の鎖線で示すように、固定コア３５およびアーマチュア３６間の吸引力は実用範囲でも大きく変化してしまう。
【００３５】
このようにして電磁入口弁５Ａは、デューティ１００パーセントの全閉状態およびデューティ０パーセントの全開状態間でデューテイを変化させることによって左前輪用車輪ブレーキＢＡ側の液圧をリニアに変化させるように制御可能であり、他の電磁入口弁５Ｂ〜５Ｄも上記常開型制御弁５Ａと同様に構成される。一方、電磁出口弁６Ａ〜６Ｄはオン・オフ制御されるだけである。
【００３６】
図４において、電磁入口弁５Ａ〜５Ｄを駆動するために、コイル３９の一端は電源４５に接続され、コイル３９の他端および接地間には、電源４５からの通電を制御する通電制御素子としての電界効果トランジスタ（Field Effect Transistor 、以下、ＦＥＴと言う）４６が介設される。またコイル３９には、還流ダイオード４７が並列に接続されており、前記ＦＥＴ４６のドレインおよびゲート間にはダイオード４８およびツェナーダイオード４９が直列に接続され、ＦＥＴ４６のゲートはツェナーダイオード５０を介して接地される。
【００３７】
制御ユニットＣは、前記ＦＥＴ４６のゲートに接続されるものであり、電磁入口弁５Ａ〜５Ｄをオン・オフ制御するとともにオン・オフ間の間の中間の電流による半開状態でのリニア制御を実行すべく、ＦＥＴ４６の通電・遮断を制御する。
【００３８】
ところで制御ユニットＣは、前記各車輪ブレーキＢＡ〜ＢＤのうちロック状態に入りそうになった車輪に対応した車輪ブレーキのブレーキ液圧を制御するアンチロックブレーキ制御時には、図５で示すように、減圧、保持および増圧モードをこの順番で繰り返すようにして電磁入口弁５Ａ〜５Ｄおよび電磁出口弁６Ａ〜６Ｄの作動を制御するものであり、そのような制御によって、車輪速度およびブレーキ液圧が図５で示すように変化することになる。
【００３９】
而して制御ユニットＣは、前記保持モードでは、電磁出口弁６Ａ〜６Ｄを閉弁した状態で電磁入口弁５Ａ〜５Ｄを図６で示すようにデューティ制御するものであり、そのデューティは、図７で示すように、全閉状態である１００パーセントのデューティから半開状態の所定のデューテイまで時間経過に応じてデューティの減少側に段階的に変化するように設定される。すなわち、保持モードで各電磁入口弁５Ａ〜５Ｄの開度は、全閉状態から所定の半開状態まで時間経過に応じて段階的に増大することになり、それに応じて保持モードでのブレーキ液圧は、図５で示すように時間経過に応じて緩やかに増大することになる。それに対して、前記保持モードで電磁入口弁５Ａ〜５Ｄを閉弁したままとすると、保持モードでは図５の鎖線で示すようにブレーキ液圧は一定となる。
【００４０】
また保持モード終了後の増圧モードにおいて、制御ユニットＣは、図６で示すように、電磁入口弁５Ａ〜５Ｄのパルス幅変調によるデューティ制御を実行するものであり、それによりブレーキ液圧はリニアに増圧されることになる。
【００４１】
次にこの実施例の作用について説明すると、制御ユニットＣは、アンチロックブレーキ制御時の保持モードでは、電磁出口弁６Ａ〜６Ｄを閉弁した状態で電磁入口弁５Ａ〜５Ｄのデューテイを全閉状態に応じた１００パーセントのデューティから半開状態の所定のデューテイまで時間経過に応じて段階的に変化させるように電磁入口弁５Ａ〜５Ｄのデューテイ制御を実行し、車輪ブレーキＢＡ〜ＢＤのブレーキ液圧を時間経過に応じて緩やかに増圧するので、保持モードから増圧モードに切り換わったときに車輪ブレーキＢＡ〜ＢＤのブレーキ液圧は保持モード開始時よりも高くなる。したがって増圧モードで必要な液圧に達するまでの時間を短くすることができ、応答性を高めることができる。
【００４２】
以上、本発明の実施例を説明したが、本発明は上記実施例に限定されるものではなく、特許請求の範囲に記載された本発明を逸脱することなく種々の設計変更を行うことが可能である。
【図面の簡単な説明】
【００４３】
【図１】乗用車両のブレーキ装置のブレーキ液圧回路図である。
【図２】電磁入口弁の縦断面図である。
【図３】弁軸のストローク変化に対する吸引力変化を示す図である。
【図４】電磁入口弁の駆動装置の構成を示す図である。
【図５】アンチロックブレーキ制御時の制御モードに対応した車輪速度およびブレーキ液圧の変化を示す図である。
【図６】減圧、保持および増圧の各制御モードでの電磁入口弁のデューティの変化を示す図である。
【図７】保持モードでのデューティの設定マップを示す図である。
【符号の説明】
【００４４】
５Ａ，５Ｂ，５Ｃ，５Ｄ・・・電磁入口弁
６Ａ，６Ｂ，６Ｃ，６Ｄ・・・電磁出口弁
８Ａ，８Ｂ・・・リザーバ
ＢＡ，ＢＢ，ＢＣ，ＢＤ・・・車輪ブレーキ
Ｃ・・・制御ユニット
Ｍ・・・液圧発生手段であるマスタシリンダ
Ｐ・・・ブレーキ操作部材であるブレーキペダル
【図１】
2006103350.tif 000003
【図２】
2006103350.tif 000004
【図３】
2006103350.tif 000005
【図４】
2006103350.tif 000006
【図５】
2006103350.tif 000007
【図６】
2006103350.tif 000008
【図７】
2006103350.tif 000009